(57)【特許請求の範囲】
【請求項１】
複数の火災受信機と複数の非常放送設備とを、それぞれ通信インタフェースを介して通信ネットワークに接続して構成した広域型自動火災報知システムであって、上記火災受信機が、上記非常放送設備を作動させて火災放送をさせるために非常放送指令信号を出力したときには、上記非常放送設備側の通信インタフェースは、受信した非常放送指令信号が、同一エリアの火災受信機からのものかを判断して、受信した非常放送指令信号が同一エリアのものであるときには、受信した非常放送指令信号を、その通信インタフェースに接続された非常放送設備に出力する一方、同一エリアのものでないときには、受信した非常放送指令信号を破棄する構成とした広域型自動火災報知システム。
【請求項２】
請求項１において、
上記非常放送設備側の通信インタフェースは、予め、同一エリアの火災受信機が監視する監視領域データを登録した判断テーブルを備えており、受信した非常放送指令信号に含まれる火災発生場所データが、上記判断テーブルに登録されているかを判断して、上記処理をする構成とした広域型自動火災報知システム。
【請求項３】
請求項２において、
上記監視領域データ、上記火災発生場所データは、建物の棟データと階データとで構成されている広域型自動火災報知システム。
【発明の詳細な説明】
【０００１】
【発明の属する技術分野】
本発明は、複数の火災受信機と複数の非常放送設備とを、それぞれ通信インタフェースを介して通信ネットワークに接続して構成した広域型自動火災報知システムに関する。
【０００２】
【従来の技術】
従来の自動火災報知システムは、図６に示すような構成をしており、建物内で火災が発生すると、火災受信機１００は、所定の火災警報をするとともに、非常放送設備を作動させて火災放送をさせるために、非常放送指令信号を非常放送設備２００に出力する。そして、非常放送設備２００が作動して、火災発生場所の近隣に対して、非常放送をして避難を促す。
【０００３】
【発明が解決しようとする課題】
ところが、図７に示すように、複数の火災受信機１００と、複数の非常放送設備２００とを、それぞれ通信インタフェース３００を介してＬＡＮ（Ｎ）に接続して広域型の自動火災報知システムを構成した場合、以下の問題が発生する。
【０００４】
例えば、火災受信機１００（＃１）から出力される非常放送指令信号は、ＬＡＮ（Ｎ）上を流れるため、その信号は通信インタフェース３００（＃４，＃５）を中継して非常放送設備２００（＃１，＃２）へと出力されてしまう。
【０００５】
すなわち、いずれかの火災受信機１００からの非常放送指令信号が、システム内の全ての非常放送設備２００へと出力されて、火災受信機１００の動作で、同一エリアにない非常放送設備２００が連動して、全く危険のない場所にも火災放送をしてしまい、システム運用上の問題が発生していた。
【０００６】
本発明は、上記事情を考慮してなされたものであり、いずれかの火災受信機が火災信号を受信したときには、その火災受信機と同一エリアの非常放送設備のみ連動をかけることが可能な広域型自動火災報知システムを提供することを目的としている。
【０００７】
【課題を解決するための手段】
上記目的を達成するために、本発明の請求項１に記載の広域型自動火災報知システムでは、火災受信機が、上記非常放送設備を作動させて火災放送をさせるために非常放送指令信号を出力したときには、上記非常放送設備側の通信インタフェースは、受信した非常放送指令信号が、同一エリアの火災受信機からのものかを判断して、受信した非常放送指令信号が同一エリアのものであるときには、受信した非常放送指令信号を、その通信インタフェースに接続された非常放送設備に出力する一方、同一エリアのものでないときには、受信した非常放送指令信号を破棄する構成とした。
【０００９】
請求項２に記載の広域型自動火災報知システムでは、非常放送設備側の通信インタフェースは、予め、同一エリアの火災受信機が監視する監視領域データを登録した判断テーブルを備えており、受信した非常放送指令信号に含まれる火災発生場所データが、判断テーブルに登録されているかを判断して、処理をする構成とした。
【００１０】
請求項３に記載の広域型自動火災報知システムでは、監視領域データ、火災発生場所データは、建物の棟データと階データとで構成されている。
【００１１】
【発明の実施の形態】
以下に、本発明の実施の形態について、図面とともに説明する。図１は、本発明の広域型自動火災報知システムの要部構成の一例を示す図である。
【００１２】
このものは、通信ネットワークの１つであるＬＡＮ（Ｎ）に、複数の火災受信機１（＃１〜＃３）をそれぞれ通信インタフェース３（＃１〜＃３）を介して接続し、更に、複数の非常放送設備２（＃１，＃２）を、それぞれ通信インタフェース３（＃４，＃５）を介して接続している。なお、ここでは、火災受信機を３台、非常放送設備を２台設置しているが、本発明ではこの例に限られず、それぞれを何台設置してもよい。
【００１３】
火災受信機１は、図２に示すように、予め監視領域が割り当てられており、火災受信機１（＃１）は１棟の１〜４階を監視し、火災受信機１（＃２）は２棟の１〜３階を監視し、火災受信機１（＃３）は３棟の１〜５階を監視している。
【００１４】
そして、各々に接続される火災感知器（不図示）が発報して火災信号を出力したときには、この信号を受けて、発報した火災感知器の設置場所を表示した火災警報を行うとともに、ＬＡＮ（Ｎ）上に、火災感知器の設置場所データ、すなわち、火災発生場所データを含む非常放送指令信号を出力する。
【００１５】
例えば、１棟の３階に設置される火災感知器が発報すると、そこを監視する火災受信機１（＃１）が火災信号を受信し、１棟の３階で火災発生したことを示す火災発生場所データを非常放送指令信号に含ませてＬＡＮ（Ｎ）上に出力する。
【００１６】
通信インタフェース３（＃４，＃５）は、予め、同一エリアの火災受信機１が監視する監視領域データを登録した判断テーブルＴ（＃１，＃２）をそれぞれ備えている。すなわち、図３に示すように、通信インタフェース３（＃４）は判断テーブルＴ（＃１）を備えており、火災受信機１（＃１）の監視領域データとして、１棟の１〜４階というデータが登録されている。また、通信インタフェース３（＃５）は判断テーブルＴ（＃２）を備えており、火災受信機１（＃２，＃３）の監視領域データとして、２棟の１〜３階、３棟の１〜５階というデータが登録されている。
【００１７】
このような構成にすることによって、以下の動作が可能となる。これについて、図４，５のフローチャートとともに説明する。
【００１８】
すなわち、通信インタフェース３（＃４）がＬＡＮ（Ｎ）を通じて非常放送指令信号を受信すると（１００）、その信号に含まれる火災発生場所データ、すなわち、火災発生した棟、階データが、判断テーブルＴ（＃１）に登録されていれば（１０１）、その信号が火災受信機１（＃１）からのものと判断して、非常放送設備２（＃１）に対して非常放送指令信号を出力する（１０２）。
【００１９】
一方、受信した信号に含まれる火災発生場所データ、すなわち、火災発生した棟、階データが、判断テーブルＴ（＃１）に登録されていなければ（１０３）、その信号が火災受信機１（＃２，＃３）あるいは火災受信機１（＃１〜＃３）以外からのものと判断して、その信号を破棄する（１０４，１０５）。
【００２０】
また、通信インタフェース３（＃５）がＬＡＮ（Ｎ）を通じて非常放送指令信号を受信すると（２００）、その信号に含まれる火災発生場所データ、すなわち、火災発生した棟、階データが、判断テーブルＴ（＃２）に登録されていれば（２０１，２０２）、その信号が火災受信機１（＃２）または火災受信機１（＃３）からのものと判断して、非常放送設備２（＃２）に対して非常放送指令信号を出力する（２０３）。
【００２１】
一方、受信した信号に含まれる火災発生場所データ、すなわち、火災発生した棟、階データが、判断テーブルＴ（＃２）に登録されていなければ（２０１，２０２）、その信号が火災受信機１（＃１）あるいは火災受信機１（＃１〜＃３）以外からのものと判断して、その信号を破棄する（２０４，２０５）。
【００２２】
これにより、図１の矢印に示すような非常放送指令信号の流れが可能となり、いずれかの火災受信機１が火災信号を受信したときには、その火災受信機１と同一エリアの非常放送設備２のみ連動をかけることが可能となる。
【００２３】
【発明の効果】
以上の説明からも理解できるように、本発明の請求項１に記載の広域型自動火災報知システムでは、非常放送設備側の通信インタフェースは、受信した非常放送指令信号が、同一エリアの火災受信機からのものかを判断して、その判断結果に基づいた処理をするので、いずれかの火災受信機が火災信号を受信したときには、その火災受信機と同一エリアの非常放送設備のみ連動をかけることができる。
【００２４】
また、非常放送設備側の通信インタフェースは、受信した非常放送指令信号が同一エリアのものであるときには、受信した非常放送指令信号を、その通信インタフェースに接続された非常放送設備に出力する一方、同一エリアのものでないときには、受信した非常放送指令信号を破棄するので、先述の効果をより容易に発揮することができる。
【００２５】
請求項２に記載の広域型自動火災報知システムでは、非常放送設備側の通信インタフェースは、予め、同一エリアの火災受信機が監視する監視領域データを登録した判断テーブルを備えており、受信した非常放送指令信号に含まれる火災発生場所データが、判断テーブルに登録されているかを判断して、処理をするので、先述の効果をより容易に発揮することができる。
【００２６】
請求項３に記載の広域型自動火災報知システムでは、監視領域データ、火災発生場所データは、建物の棟データと階データとで構成されているので、本システムを、複数棟かつ複数階で構成した大規模な建物に適用することができる。
【図面の簡単な説明】
【図１】本発明の広域型自動火災報知システムの要部構成の一例を示す図である。
【図２】火災受信機の監視領域データについて説明するための図である。
【図３】非常放送設備側の通信インタフェースが備える判断テーブルについて説明するための図である。
【図４】通信インタフェースの動作について説明するためのフローチャートである。
【図５】通信インタフェースの動作について説明するためのフローチャートである。
【図６】従来の自動火災報知システムの構成を示す図である。
【図７】従来の自動火災報知システムの問題点について説明するための図である。
【符号の説明】
１・・・火災受信機
２・・・非常放送設備
３・・・通信インタフェース
Ｎ・・・ＬＡＮ
Ｔ・・・判断テーブル
【図１】
0003835179.tif 000002
【図２】
0003835179.tif 000003
【図３】
0003835179.tif 000004
【図４】
0003835179.tif 000005
【図５】
0003835179.tif 000006
【図６】
0003835179.tif 000007
【図７】
0003835179.tif 000008